(57)【要約】【課題】組立が簡単で、折り畳んでコンパクトにでき、ポールを安定して取り付けることができる把巻管繰出装置を提供する。【解決手段】地面に設置される基板７上に支持部８が設けられたベース２と、ベースの支持部に回転可能に係合する軸部１１の上端に複数の連結部１２が設けられた本体３と、本体の連結部に上下に回動可能に連結されて軸部を中心に放射状に延び、軸部を中心とする円周に沿って地面上を転動する車輪２５が取り付けられた複数のアーム４と、アームに着脱可能に取り付けられるポール５とを備える。複数のアーム４は、軸部に直角な方向に回動した展開位置と、軸部に沿った方向に回動した折畳み位置とに回動可能である。【選択図】図１
0003208038.tif 000002
【実用新案登録請求の範囲】
【請求項１】
地面に設置される基板上に支持部が設けられたベースと、
前記ベースの支持部に回転可能に係合する軸部の上端に複数の連結部が設けられた本体と、
前記本体の連結部に上下に回動可能に連結されて前記軸部を中心に放射状に延び、前記軸部を中心とする円周に沿って地面上を転動する車輪が取り付けられた複数のアームと、
前記アームに着脱可能に取り付けられるポールとを備え、
前記複数のアームは、前記軸部に直角な方向に回動した展開位置と、前記軸部に沿った方向に回動した折畳み位置とに回動可能であることを特徴とする把巻管繰出装置。
【請求項２】
前記アームは角パイプからなり、前記ポールは下端に設けた角クランプにより前記アームに取り付けられていることを特徴とする請求項２に記載の把巻管繰出装置。
【請求項３】
前記アームが展開位置にあるときに前記複数のアームを連結して、前記アームが折り畳み位置に回動するのを阻止するアーム固定枠が設けられていることを特徴とする請求項１又は２に記載の把巻管繰出装置。
【請求項４】
前記本体の前記連結部にブラケットが回動可能に取り付けられ、前記アームは前記ブラケットを介して前記本体の前記連結部に連結されていることを特徴とする請求項１から３のいずれかに記載の把巻管繰出装置。
【請求項５】
前記ベースの前記支持部は、前記本体の前記軸部が挿入される円筒状であることを特徴とする請求項１から４のいずれかに記載の把巻管繰出装置。
【考案の詳細な説明】
【技術分野】
【０００１】
本考案は把巻（たばまき）管を繰り出して配設するための把巻管繰出装置に関する。
【背景技術】
【０００２】
工事現場における配管作業では、把巻きされた樹脂管等を繰り出して所要場所に配設するために把巻管繰出装置が使用される。
【０００３】
従来の把巻管繰出装置としては、特許文献１に示すように、基台の上にキャスタを介して設けた回転台に把巻管を横置きに載置し、基台の上に放射状に設けたガイドにパイプを起立して半径方向に移動可能に設け、該パイプを把巻管の外径部に当接させて把巻管がバラケないようにしたものが公知である。
【０００４】
また、特許文献２には、外枠ポールを有する基台フレーム部材と、該基台フレーム部材に回転可能に支持され、把巻体を支持する折り畳み可能な下部リール枠とを備え、下部リール部材にリール軸形成部材を把巻き体の内径に合わせて径方向に移動可能に設けるとともに、下部リール部材に上部リール部材を把巻き体の軸方向寸法に合わせて軸方向に移動可能に設けた巻き出しドラム装置が記載されている。
【０００５】
さらに、特許文献３には、上環状体と下環状体と竪柱とからなる外枠の内部に、複数の放射状腕部からなる回転台を回転可能に設け、回転台の放射状腕部に保持柱を半径方向に位置決め可能に、かつ、起伏可能にするとともに、外枠の竪柱を折り畳み可能にした引出装置が記載されている。
【先行技術文献】
【特許文献】
【０００６】
【特許文献１】実開平４−１３５５６１号公報
【特許文献２】実公平３−５２７７８号公報
【特許文献３】実公昭４−１９０１７号公報
【考案の概要】
【考案が解決しようとする課題】
【０００７】
しかし、いずれの繰出装置でも、組立が煩雑であり、折り畳みが可能としても嵩張る形態であり、またポールが捩じれたり、倒れやすいという問題があった。
【０００８】
本考案は、斯かる従来の問題点に鑑みてなされたもので、組立が簡単で、折り畳んでコンパクトにでき、ポールを安定して取り付けることができる把巻管繰出装置を提供することを課題とする。
【課題を解決するための手段】
【０００９】
前記課題を解決するために、本考案は、
地面に設置される基板上に支持部が設けられたベースと、
前記ベースの支持部に回転可能に係合する軸部の上端に複数の連結部が設けられた本体と、
前記本体の連結部に上下に回動可能に連結されて前記軸部を中心に放射状に延び、前記軸部を中心とする円周に沿って地面上を転動する車輪が取り付けられた複数のアームと、
前記アームに着脱可能に取り付けられるポールとを備え、
前記複数のアームは、前記軸部に直角な方向に回動した展開位置と、前記軸部に沿った方向に回動した折畳み位置とに回動可能であることを特徴とする把巻管繰出装置である。
【００１０】
本考案の把巻管繰出装置は、本体の軸部をベースの支持部に係合し、アームを展開位置に回動し、アームにポールを取り付けるだけで組み立てることができる。また、ポールをアームから取り外し、アームを折畳み位置に回動し、ベースの軸部から外すだけで、折りたたむことができる。また、アームの車輪が地面上を転動するので、回転台等を設ける必要がなく、構造が簡単でコンパクトになる。
【００１１】
前記アームは角パイプからなり、前記ポールは下端に設けた角クランプにより前記アームに取り付けられていることが好ましい。角クランプは角パイプの３面を締め付けるので、ポールが各パイプの軸回りに回転して鉛直方向に対して傾くことがなく、安定して取り付けることができる。
【００１２】
前記アームが展開位置にあるときに前記複数のアームを連結して、前記アームが折り畳み位置に回動するのを阻止するアーム固定枠が設けられていることが好ましい。アーム固定枠により、展開位置にあるアームを固定することができ、把巻管の繰り出し作業中にアームの根本に作用する外力に対し、アームの根本を補強することができる。
【００１３】
前記本体の前記連結部にブラケットが回動可能に取り付けられ、前記アームは前記ブラケットを介して前記本体の前記連結部に連結されていることが好ましい。
【００１４】
前記ベースの前記支持部は、前記本体の前記軸部が挿入される円筒状であることが好ましい。
【考案の効果】
【００１５】
本考案によれば、本体の連結部にアームが回動可能に取り付けられているので、組立が簡単で、折り畳んでコンパクトにできる。また、各パイプからなるアームにポールが角クランプを介して取り付けられるので、ポールを安定して取り付けることができる等の効果を有している。
【図面の簡単な説明】
【００１６】
【図１】本考案に係る把巻管繰出装置の展開状態を示す斜視図。
【図２】図１の把巻管繰出装置の折畳み状態を示す正面図。
【図３】ベースと本体の正面図（ａ）、ベースの変形例を示す正面図（ｂ）。
【図４】本体の平面図。
【図５】ポールの正面図。
【図６】アーム固定枠の平面図（ａ）及び正面図（ｂ）。
【図７】把巻管繰出装置の使用状態を示す平面図。
【図８】図７の正面図。
【考案を実施するための形態】
【００１７】
以下、本考案の実施形態を添付図面に従って説明する。
【００１８】
図１は、本考案に係る把巻管繰出装置１の展開状態、図２は把巻管繰出装置１の折畳み状態を示す。把巻管繰出装置１は、ベース２と、本体３と、アーム４と、ポール５と、アーム固定枠６とから構成されている。
【００１９】
ベース２は、ステンレス鋼製で、図３（ａ）に示すように、地面に設置される円形の基板７と、該基板７の中央に設けられた筒状の支持部８とからなっている。基板７の周囲４箇所には、吊り持ちのためのＵボルト９が取り付けられている。基板７の中央、すなわち、支持部８の底には、杭を打ち込むための杭孔１０が形成されている。ベース２の支持部８は、後述する本体３の軸部１１が挿入されるように、軸部１１より大きな径を有している。また、図３（ｂ）に示すように、本体３の軸部１１の下端に挿入されるように、軸部１１より小さな径を有するようにしてもよい。
【００２０】
本体３は、ステンレス鋼製で、図３（ａ）に示すように、軸部１１と、連結部１２と、ブラケット１３とからなっている。軸部１１は垂直に立てられた鋼管で、ベース２の支持部８に挿入される大きさ、又はベース２の支持部８が挿入される大きさを有している。連結部１２は、図４に示すように、長い１つの溝形鋼と短い２つの溝形鋼を十字形に接合して４つの突出部１４を形成し、長い溝形鋼のウェブ１２ａの中央を軸部１１の上端に溶接したものである。連結部１２の中心には、杭が貫通する杭孔１５が形成されている。ブラケット１３は、連結部１２の溝形鋼より大きいサイズの溝形鋼からなり、両フランジ１３ｂの一端を伸長して突片１６を形成したものである。ブラケット１３の突片１６は連結部１２の突出部１４にボルト１７で連結され、これによりブラケット１３は上下方向に回動可能に取り付けられている。ブラケット１３の２つのフランジ１３ｂ間にプレート１８が接合され、このプレート１８とウェブ１３ａの間にパイプ１９が溶接されている。プレート１８とウェブ１３ａにはパイプ１９と連通するボルト孔２０ａ，２０ｂが形成され、後述するアーム固定枠６を固定するボルト２１が挿通されるようになっている。また、ブラケット１３のボルト穴２０ｂより外側のウェブ１３ａには、後述するアーム４を固定する４つのボルト孔２２が形成されている。
【００２１】
アーム４は、ステンレス鋼製の角パイプからなり、図１に示すように、使用を予定している最大径の把巻管の半径と同じか、それより大きい長さを有している。アーム４の一端は、図３（ａ）に示すように、本体３のブラケット１３にコ型ボルト２３で固定して取り付けられ、他端はキャップ２４で閉じられている。アーム４は、本体３の軸部１１を中心に放射状に延びている。アーム４の先端から全長の約３分の１程度の位置の下面に、空気入りタイヤからなる車輪２５が取り付けられている。車輪２５は、車軸がアーム４の軸に平行に配置され、本体３の軸部１１を中心とする円周に沿って地面上を転動するようになっている。車輪２５の接地面からアーム４までの高さは、地面からブラケット１３の内面までの高さと同じにする。これにより、４つのアーム４が形成する面は地面に平行になる。また、アーム４は、ブラケット１３のボルト１７を中心に、図１に示すように本体３の軸部１１に直角な方向に回動した展開位置と、図２に示すように軸部１１に沿った方向に回動した折畳み位置（図２）とに回動可能になっている。
【００２２】
ポール５は、ステンレス鋼製の丸パイプからなり、図５に示すように、下端に角クランプ２６が接合されている。角クランプ２６は、ポール５に接合された基部２７と、基部２７の一端にピン２８によりヒンジ接合された可動部２９と、可動部２９の先端に一端が取り付けられ、他端が基部２７を貫通するボルト３０にナット３１が螺合してあり、基部２７と可動部２９の内面が形成する４面で角パイプからなるアーム４を締め付けることができる公知のクランプである。角クランプ２６をアーム４の任意に位置に固定することで、ポール５の本体３の軸部７から半径方向の位置を位置決めすることができる。ポール５の高さは、使用を予定している把巻管の高さ程度必要である。
【００２３】
アーム固定枠６は、図６に示すように、ステンレス鋼製の４つの山形鋼（アングル）を接合して、矩形の枠型に形成したものである。アーム固定枠６の内面の４箇所には、吊り持ちのためのＵボルト３２が取り付けられている。アーム固定枠６には、本体３のブラケット１３に挿通するボルト２１が貫通するボルト孔３３が形成されている。
【００２４】
次に、以上の構成からなる把巻管繰出装置１の組立方法及び動作を説明する。
【００２５】
把巻管繰出装置１は、予め、本体３にブラケット１３をボルト１７により取り付け、ブラケット１３にアーム４をコ型ボルト２３により取り付けて、各アーム４をブラケット１３のボルト１７の回りに回動して本体３の軸部１１に沿った方向に回動させて、図２に示すように折り畳んだ状態にしておく。したがって、非使用時には、本体３とアーム４の組立体と、ベース２と、４本のポール５と、アーム固定枠６の４部品に分解できる。４本のポール５は、折り畳んだアーム４とともに束ねることができる。ベース２は、本体３の軸部１１に係合したままにし、アーム固定枠６は折り畳んだ４本のアーム４又は軸部１１に通しておくことができる。このため、本考案の把巻管繰出装置１は、非使用時にコンパクトに部品を纏めることができ、搬送及び保管が容易である。
【００２６】
本考案の把巻管繰出装置１を使用するには、まずベース２を地面上の所定位置に設置し、ベース２の杭孔１０に杭を打ってベース２を固定する。ベース２に杭を打つ代わりに、本体３の杭孔１５からベース２の杭孔１０まで杭を打ち込んでもよい。次に、折り畳んだ状態のアーム４と本体３の組立体を立てて軸部１１をベース２の支持部８に係合し、４つのアーム４をそれぞれブラケット１３のボルト１７の回りに下方に回動させて軸部１１に直角な方向に展開し、車輪２５を地面に接地させる。続いて、アーム固定枠６を本体３の４つのブラケット１３の上に載置し、アーム固定枠６のボルト孔３３からブラケット１３のボルト孔２０ａ，２０ｂにボルト２１を通して固定する。これにより、アーム４が折畳み位置に回動するのが阻止される。
【００２７】
続いて、４本のポール５を下端の角クランプ２６によりそれぞれのアーム４に取り付ける。４本のポール５は、本体３の軸部１１から等距離に位置するように取り付ける。この時、ポール５の本体３の軸部１１からの位置は、把巻管Ｐの搬入の邪魔にならないように、できるだけ外側に位置するようにしておくか、把巻管Ｐをアーム４に載置した後、ポール５を取り付けるようにしてもよい。
【００２８】
従来のポールは、円形鋼管からなるアームに直交クランプで取り付けられ、直交クランプがアームの回りに回転しやいすいので、アームが垂直に立っているかを見極めながら直交クランプを締め付ける必要があった。また、直交クランプを締め付けても、ポールに何らかの外力が作用すると、ポールがアームの回りに滑って回転し、ポールが傾いたり、倒れる等の問題があった。しかし、本考案では、角パイプからなるアーム４に角クランプ２６により取り付けられているので、角クランプ２６を締め付けるだけで、ポール５をアーム４に対して垂直にすることができ、外力が作用しても、傾いたり、倒れることがなく、安定した状態に取り付けることができる。
【００２９】
このように把巻管繰出装置１を組み立てた後、図７、図８に示すように、把巻管Ｐを４本のアーム４の上に載置し、把巻管Ｐの中心を本体３の軸部１１の中心に合わせる。ポール５の本体３の軸部１１からの位置は、使用する把巻管Ｐの外径に接するようにする。これには、角クランプ２６を緩めて、アーム４の軸方向にスライドさせるだけでよい。
【００３０】
配管作業においては、把巻管Ｐの一端を把持して図７に示す矢印Ｘ方向に引き出すと、４つのアーム４の車輪２５が本体３の軸部１１を中心とする円周状を転動し、４つのアーム４が本体３の軸部１１を中心に図７において時計回りに回動する。これにより、把巻管Ｐから管Ｐ´が順次繰り出され、所定位置に配置することができる。
【００３１】
把巻管繰出装置１による配管作業が終了すると、ポール５とアーム固定枠６を取り外して、アーム４を図２に示すように折り畳み、アーム４が広がらないようにポール５とともにバンド等で結束しておく。
【００３２】
本考案は、以上の実施形態に限らず、実用新案登録請求の範囲に記載した考案の範囲内で種々変更することができる。
【００３３】
例えば、アーム４をブラケット１３を介さずに直接本体３の連結部１２に回動可能に連結してもよい。この場合、アーム固定枠６はブラケット１３でなくアーム４に固定することになる。また、アーム４の数は４本に限らず、３本、５本でもよい。  
【符号の説明】
【００３４】
１…把巻管繰出装置  
２…ベース
３…本体
４…アーム
５…ポール
６…アーム固定枠
７…基板
８…支持部
１１…軸部
１２…連結部
１３…ブラケット
２５…車輪
２６…角クランプ    
【図１】
0003208038.tif 000003
【図２】
0003208038.tif 000004
【図３】
0003208038.tif 000005
【図４】
0003208038.tif 000006
【図５】
0003208038.tif 000007
【図６】
0003208038.tif 000008
【図７】
0003208038.tif 000009
【図８】
0003208038.tif 000010